(57)【要約】【課題】仏具、線香立てや燭台などの仏具を有する小型仏壇として使用でき、また神を礼拝できる祭壇として使用でき、さらに装飾品として観賞することができるという今までにない概念を具現化した仏壇を提供することである。【解決手段】遺品や遺骨等を収容する収容室、及び／又は正面視左右方向に凹設された断面U字状の細溝部を含む台座と、前記台座の収容室の開口部に覆設される蓋体、及び／又は前記細溝部に嵌挿され立設される、遺影などの薄板厚シートを２枚の透明な平板体で挟持する平板体部と、線香立て用柱体と、花立用柱体と、燭台用柱体と、の中から少なくとも２つ以上を選択して組み合わせて配設することによって課題を実現できた。【選択図】  図１
2012010826.tif 000002
【特許請求の範囲】
【請求項１】
底部及び周部が閉塞され上部に開口部を有する、遺品や遺骨等を収容する収容室、及び／又は正面視左右方向に凹設された断面U字状の細溝部を含む台座と、前記台座の収容室の開口部に覆設される蓋体、及び／又は前記細溝部に挿入され立設される、遺影などの薄板厚シートを２枚の透明な平板体で挟持する平板体部と、線香挿入用の縦方向の孔を有する柱体と、花挿し用の縦方向の孔を有する柱体と、発光体を載設可能な周縁を有し配線挿通用及び電池内設用の縦方向の孔を有する柱体と、の中から少なくとも２つ以上を選択して組み合わせて配設することを特徴とする仏壇オブジェ。
【請求項２】
底部及び周部が閉塞され上部に開口部を有する、遺品や遺骨等を収容する収容室、及び／又は正面視左右方向に凹設された断面U字状の細溝部を含む台座と、前記台座の収容室の開口部に覆設される蓋体、及び／又は前記細溝部に挿入され立設される、遺影などの薄板厚シートを２枚の透明な平板体で挟持する平板体部と、少なくとも線香挿入用の縦方向の孔を有する柱体と、花挿し用の縦方向の孔を有する柱体と、発光体を載設可能な周縁を有し配線挿通用及び電池内設用の縦方向の孔を有する柱体との中から１つ以上の柱体を前記台座上に立設させて、又は前記台座の前に離間して立設させて配設することを特徴とする仏壇オブジェ。
【請求項３】
底部及び周部が閉塞され上部に開口部を有する、遺品や遺骨等を収容する収容室、及び／又は正面視左右方向に凹設された断面U字状の細溝部を含む台座と、前記台座の収容室の開口部に覆設される蓋体、及び／又は前記細溝部に挿入され立設される、遺影などの薄板厚シートを２枚の透明な平板体で挟持する平板体部と、線香挿入用の縦方向の孔を有する柱体と、花挿し用の縦方向の孔を有する柱体と、発光体を載設可能な周縁を有し配線挿通用及び電池内設用の縦方向の孔を有する柱体と、の中から少なくとも２つ以上を選択して組み合わせ配設した仏壇オブジェを、前面、又は前面及び側面に観音開きの扉を設置した箱体内に内設したことを特徴とする仏壇オブジェ。
【請求項４】
底部及び周部が閉塞され上部に開口部を有する、遺品や遺骨等を収容する収容室、及び／又は正面視左右方向に凹設された断面U字状の細溝部を含む台座と、前記台座の収容室の開口部に覆設される蓋体、及び／又は前記細溝部に挿入され立設される、遺影などの薄板厚シートを２枚の透明な平板体で挟持する平板体部と、少なくとも線香挿入用の縦方向の孔を有する柱体と、花挿し用の縦方向の孔を有する柱体と、発光体を載設可能な周縁を有し配線挿通用及び電池内設用の縦方向の孔を有する柱体との中から１つ以上の柱体を前記台座上に立設させた仏壇オブジェ、又は前記台座の前に離間して立設させて配設した仏壇オブジェを、前面、又は前面及び側面に観音開きの扉を設置した箱体内に内設したことを特徴とする仏壇オブジェ。
【請求項５】
線香挿入用の縦方向の孔を有する柱体と、花挿し用の縦方向の孔を有する柱体と、発光体を載設可能な周縁を有し配線挿通用及び電池内設用の縦方向の孔を有する柱体の中から少なくとも１種以上の柱体を、前記台座に立設するための穴部を前記台座に設けたことを特徴とする請求項１乃至４のいずれかに記載の仏壇オブジェ。
【請求項６】
前記線香を立設する線香立て用の柱体、前記花を挿す花立て用の柱体、又は前記発光体を載設する燭台用の柱体が、前記縦方向の孔の中途で上部体と下部体とに分離可能な形態、又は分離せず一体の形態であることを特徴とする請求項１乃至５のいずれかに記載の仏壇オブジェ。
【請求項７】
前記台座の内部に設けられた収容室と前記台座の外部とが連通するように、前記台座の周壁に貫通穴を設けたことを特徴とする請求項１乃至６のいずれかに記載の仏壇オブジェ。
【請求項８】
前記台座、前記蓋体、前記線香立て用の柱体、前記花立て用の柱体、前記燭台用の柱体、又は前記箱体の材質が、アルミニウムなどの非鉄金属、又は鉄などの金属の中から選択された少なくとも１種類以上の材質からなることを特徴とする請求項１乃至７のいずれかに記載の仏壇オブジェ。
【請求項９】
前記台座、前記蓋体、前記線香立て用の柱体、前記花立て用の柱体、前記燭台用柱体、又は前記箱体の中から、少なくとも１つ以上の表面が鏡面仕上げされていることを特徴とする請求項１乃至８のいずれかに記載の仏壇オブジェ。
【発明の詳細な説明】
【技術分野】
【０００１】
本発明は、神を祭り、仏を祀り、又は亡き家族や亡きペットを祭る仏壇又は祭壇に関する。
【背景技術】
【０００２】
仏壇は、仏を祀る厨子であり、亡き家族や亡きペットを祭る祭壇でもあり、仏壇の内部は仏堂を模した豪華なつくりになっており、仏像や位牌が安置されている。そのような仏壇は、古来、仏間などに設置され、仏間は日常的な生活空間とは一線を画し、仏間の雰囲気はリビングなどの日常生活している生活空間に比べて厳粛でやや暗い雰囲気が漂っていた。
【０００３】
また、祭壇は、種々の形態があり、神道の祭壇は神棚で神鏡や灯明などが配設され、仏教の祭壇は仏壇で香炉、燭台、花立などが配設されている。
【０００４】
そして、近年、都市などのマンションなどでは、居間や食堂などの部屋の他に仏間を設けることが経済上やスペース上の問題から難しくなってきた。そこで、小型の仏壇に関する技術がすすんできた。
【０００５】
さらに、ペットを飼う家庭が増加し、ペットの死後にペットの遺骨や遺品などを祭る家庭が増加し、ペット用の小型仏壇に関する技術もすすんできた。
【０００６】
例えば、複数枚の板体を、間隔を保って立設することによって慰霊空間を形成し、この慰霊空間には慰霊対象を備えた仏壇に関する技術、又は前記複数枚の板体のうち、少なくとも一枚を移動して慰霊対象を隠すことによってインテリアとしても利用できる仏壇に関する技術が開示されている（例えば特許文献１参照）。
【０００７】
また、故人又はペットの遺品や遺骨類を収納する収納部を内部に有する箱状体本体と、前記箱状体本体の収納部上端に繋止具で連結され内面に仏画、神画、又は護符を祀る蓋部と、故人又はペットの遺影を飾る箱状体前面に設けられた額部とで構成され、上記収納部と蓋部との間に、故人又はペットの戒名、名前、愛称のいずれかを記載した内蓋を設けた供養箱に関する技術が開示されている（例えば特許文献２参照）。
【先行技術文献】
【特許文献】
【０００８】
【特許文献１】特開２００９−２４７６８９号公報
【特許文献２】特許第３８０１６１０号公報
【発明の概要】
【発明が解決しようとする課題】
【０００９】
しかし、特許文献１に記載の仏壇は、恰もインテリアやオブジェにように見せたいときには、少なくとも１枚の板体を慰霊対象及び仏具の直前に移動させることによって、正面から慰霊対象等を隠す必要があり、使用目的が変わるごとに板体を移動させなければならないという問題があった。
【００１０】
しかも、板体で慰霊対象を隠しても、装飾、模様又は色彩を有するのみの板体では見た目にインテリアやオブジェのようには見えないという問題があった。
【００１１】
また、板体で慰霊対象を隠さない場合においても、板体の前に仏具を置いているので、見た目には仏具のミニチュア版という印象を与え、見る者に装飾品という印象を与えないため、居間などの生活空間の部屋に溶け込みにくいという問題があった。
【００１２】
さらに、見た目に仏壇としか見えないので、健康や学業を祈りたいために神を祭り礼拝したいという人には向かないという問題があった。
【００１３】
特許文献２に記載の供養箱は、蓋を開ければ供養することができ、蓋を閉じた状態では写真立てとしての機能を有しているが、見た目は箱体であるので、地味な印象を与え装飾品の印象を与えないので、居間などに置いたときに部屋の雰囲気に溶け込みにくいという問題があった。
【００１４】
また、外観は箱体の供養箱であるので、神鏡や灯明などが配設される神棚として使用できにくいので、健康や学業を祈りたいために神を祭り礼拝したいという人には向かないという問題があった。
【００１５】
そこで、本発明の目的は、遺骨や遺品を収納する仏具、線香立てや燭台などの仏具を有する小型仏壇として使用でき、また神を礼拝できる祭壇として使用でき、さらに装飾品又は芸術品として観賞することができるという今までにない概念を具現化した仏壇を提供することである。
【課題を解決するための手段】
【００１６】
本発明において、「オブジェ」とは、美術用語として用いられ、非日常的又は奇抜なさまであるが、無意識に対応するものと見なされる物体、あるいはそれによる作品を意味する。
【００１７】
本発明において、「祭壇」とは、祭祀を行う場所で、供物をささげるために他から区別され聖化された場所を意味し、「仏壇」とは、仏像や位牌を安置して礼拝するための壇、仏を祀る厨子、又は亡き家族や亡きペットを祭る祭壇を意味し、「薄板厚シート」とは写真、描画、戒名を記載した紙や、樹脂などからなる薄板などを意味する。
【００１８】
「発明が解決しようとする課題」に記載した課題を解決するために、請求項１に記載の仏壇オブジェ１の発明は、底部及び周部が閉塞され上部に開口部を有する、遺品や遺骨等を収容する収容室１１、及び／又は正面視左右方向に凹設された断面U字状の細溝部１２を含む台座２と、前記台座２の収容室１１の開口部に覆設される蓋体３、及び／又は前記細溝部１２に挿入され立設される、遺影などの薄板厚シート２０を２枚の透明な平板体で挟持する平板体部４と、線香挿入用の縦方向の孔を有する柱体５と、花挿し用の縦方向の孔を有する柱体と、発光体を載設可能な周縁を有し配線挿通用及び電池内設用の縦方向の孔を有する柱体６と、の中から少なくとも２つ以上を選択して組み合わせて配設することを特徴とする。
【００１９】
請求項２に記載の仏壇オブジェ１の発明は、底部及び周部が閉塞され上部に開口部を有する、遺品や遺骨等を収容する収容室１１、及び／又は正面視左右方向に凹設された断面U字状の細溝部１２を含む台座２と、前記台座２の収容室１１の開口部に覆設される蓋体３、及び／又は前記細溝部１２に挿入され立設される、遺影などの薄板厚シート２０を２枚の透明な平板体で挟持する平板体部４と、少なくとも線香挿入用の縦方向の孔を有する柱体５と、花挿し用の縦方向の孔を有する柱体と、発光体を載設可能な周縁を有し配線挿通用及び電池内設用の縦方向の孔を有する柱体６との中から１つ以上の柱体を前記台座２上に立設させて、又は前記台座２の前に離間して立設させて配設することを特徴とする。
【００２０】
請求項３に記載の仏壇オブジェ１の発明は、底部及び周部が閉塞され上部に開口部を有する、遺品や遺骨等を収容する収容室１１、及び／又は正面視左右方向に凹設された断面U字状の細溝部１２を含む台座２と、前記台座２の収容室１１の開口部に覆設される蓋体３、及び／又は前記細溝部１２に挿入され立設される、遺影などの薄板厚シート２０を２枚の透明な平板体で挟持する平板体部４と、線香挿入用の縦方向の孔を有する柱体５と、花挿し用の縦方向の孔を有する柱体と、発光体を載設可能な周縁を有し配線挿通用及び電池内設用の縦方向の孔を有する柱体６と、の中から少なくとも２つ以上を選択して組み合わせ配設した仏壇オブジェを、前面、又は前面及び側面に観音開きの扉を設置した箱体７内に内設したことを特徴とする。
【００２１】
請求項４に記載の仏壇オブジェ１の発明は、底部及び周部が閉塞され上部に開口部を有する、遺品や遺骨等を収容する収容室１１、及び／又は正面視左右方向に凹設された断面U字状の細溝部１２を含む台座２と、前記台座２の収容室１１の開口部に覆設される蓋体３、及び／又は前記細溝部１２に挿入され立設される、遺影などの薄板厚シート２０を２枚の透明な平板体で挟持する平板体部４と、少なくとも線香挿入用の縦方向の孔を有する柱体５と、花挿し用の縦方向の孔を有する柱体と、発光体を載設可能な周縁を有し配線挿通用及び電池内設用の縦方向の孔を有する柱体６との中から１つ以上の柱体を前記台座２上に立設させた仏壇オブジェ１、又は前記台座２の前に離間して立設させて配設した仏壇オブジェ１を、前面、又は前面及び側面に観音開きの扉を設置した箱体７内に内設したことを特徴とする。
【００２２】
請求項５に記載の仏壇オブジェ１の発明は、請求項１乃至４のいずれかにおいて、線香挿入用の縦方向の孔を有する柱体５と、花挿し用の縦方向の孔を有する柱体と、発光体を載設可能な周縁を有し配線挿通用及び電池内設用の縦方向の孔を有する柱体６の中から少なくとも１種以上の柱体を、前記台座２に立設するための穴部１３を前記台座２に設けたことを特徴とする。
【００２３】
請求項６に記載の仏壇オブジェ１の発明は、請求項１乃至５のいずれかにおいて、前記線香４２を立設する線香立て用の柱体５、前記花を挿す花立て用の柱体、又は前記発光体４５を載設する燭台用の柱体６が、前記縦方向の孔の中途で上部体４３と下部体４４とに分離可能な形態、又は分離せず一体の形態であることを特徴とする。
【００２４】
請求項７に記載の仏壇オブジェ１の発明は、請求項１乃至６のいずれかにおいて、前記台座２の内部に設けられた収容室１１と前記台座２の外部とが連通するように、前記台座２の周壁に貫通穴１５を設けたことを特徴とする。
【００２５】
請求項８に記載の仏壇オブジェ１の発明は、請求項１乃至７のいずれかにおいて、前記台座２、前記蓋体３、前記線香立て用の柱体５、前記花立て用の柱体、前記燭台用の柱体６、又は前記箱体７の材質が、アルミニウムなどの非鉄金属、又は鉄などの金属の中から選択された少なくとも１種類以上の材質からなることを特徴とする。
【００２６】
請求項９に記載の仏壇オブジェ１の発明は、請求項１乃至８のいずれかにおいて、前記台座２、前記蓋体３、前記線香立て用の柱体５、前記花立て用の柱体、前記燭台用柱体６、又は前記箱体７の中から、少なくとも１つ以上の表面が鏡面仕上げされていることを特徴とする。
【発明の効果】
【００２７】
請求項１に記載の発明は、仏壇の小型化をするために、仏壇の一般的な１セットをミニチュア的に構成するのでなく、前記１セットの仏具の中から個々を選択して、しかも自由な発想でデザインして組み合わせて配設するので、従来の部屋の雰囲気を厳粛にするという仏具の印象又は仏壇の印象とは大きく異なった印象を与え、従来の概念を超えて装飾品という印象を与えることができる。これによって、マンションなどの狭い部屋スペースでかつ限られた部屋数のため日常生活の場である和室や洋室などの部屋に置いても、従来からの仏壇らしい一種異様な雰囲気を漂わせるのではなく、部屋全体の雰囲気に溶け込み、しかも部屋の装飾品として部屋の雰囲気を明るくするという効果を奏する。
【００２８】
また、遺骨や遺品などを収容する収容室１１の蓋体３の形状を、錐体状、円柱状、凹部を有する柱体状、半球状、多角形柱体状など、自由な発想でデザインできるので、従来の概念にはなかった、仏壇又は祭壇としての双方の使用、かつ装飾品としての印象を与えるという効果を奏する。
【００２９】
さらに、仏壇のミニチュア的な構成でなく、個々の仏具をデザイン化しているので従来の仏具が与えていた印象が薄らぐ。これによって、仏を祭る仏壇又は祭壇としての使用のみでなく神を祭る祭壇としての使用もでき、特定の宗教に限定されないという効果を奏する。
【００３０】
請求項２に記載の発明は請求項１の発明と同じ効果を奏する。さらに、遺品や遺骨などを収容する収容室１１を有する台座２と、遺影などを挟持させた透明な平板体を備え、線香用柱体５、花立用柱体、燭台用柱体６などの柱体の中から選択した柱体を前記台座２上又は台座２の前に離間して立設するので、装飾品でありながら仏壇又は祭壇に供えられる具を配設できるという効果を奏する。
【００３１】
請求項３に記載の発明は、請求項１の発明と同じ効果を奏する。さらに、仏具を選択し配設した仏壇オブジェ１を、観音開き扉２４を有する箱体７内に内設することによって、仏壇オブジェ１に荘厳さを漂わせることができるという効果を奏する。
【００３２】
請求項４に記載の発明は、請求項２の発明と同じ効果を奏する。さらに、仏具を選択し配設した仏壇オブジェ１を、観音開き扉２４を有する箱体７内に内設することによって、仏壇オブジェ１に荘厳さを漂わせることができるという効果を奏する。
【００３３】
請求項５に記載の発明は請求項１乃至４のいずれかの発明と同じ効果を奏する。さらに、柱体を台座２上に立てて載置したままの状態では、少しの振動で傾くなどの不安定さがあり、かつ仏具間同士の位置をデザインして組み合わせて構成を決定したがそのデザインが維持できにくいという問題があるが、台座２に柱体の立設用の穴部１３を設けたことによって、柱体の安定さが増加し、当初考えられたデザインが維持されるという効果を奏する。また、前記穴部１３を集合花挿し用として使用することができ、その場合には水を貯められる。
【００３４】
請求項６に記載の発明は請求項１乃至５の発明と同じ効果を奏する。さらに、柱体に孔を設けているので、外観のデザインに影響を与えずに、外観からは見えない個所にある孔を、柱体を燭台用として使用する場合は電池などの内設をするスペースとして使用でき、柱体を一輪花挿し用として使用する場合は水を貯めるスペースとして使用でき、柱体を線香立て用として使用する場合は燃え尽きた線香を速やかに消火させる水を貯めるスペースとして使用できる。また、柱体を上部体４３と下部体４４に分離することによって、例えば柱体の高さが高い場合に、下部体４４に収納する電池４８の出し入れ又は水５３の排給水が容易にできるという効果を奏する。そして、柱体の高さが短い場合には、一体である方が例えば水５３の排給水が容易にできるという効果を奏する。
【００３５】
請求項７に記載の発明は、請求項１乃至６のいずれかの発明と同じ効果を奏する。さらに、台座２内に発光体４５を内設した場合には、台座２内から台座２外へ明かりを放射させ、仏壇を構成する仏具類や箱体７に反射させことによって、幻想的な雰囲気を高めるという効果を奏する。
【００３６】
請求項８に記載の発明は、請求項１乃至７のいずれかの発明と同じ効果を奏する。さらに、材質をアルミニウムなどの非鉄金属や鉄などの金属とした場合には、使用した材質の有する色、硬さ又は輝度によって、仏壇又は祭壇全体から与えられる印象を変えられるという効果を奏する。
【００３７】
請求項９に記載の発明は、請求項１乃至８のいずれかの発明と同じ効果を奏する。さらに、鏡面仕上げをすることによって、発光体４５などの光の反射などによって仏壇オブジェ１の輝きが増し、暗い雰囲気を漂わす仏壇という印象を与えず、オブジェ、装飾品又は芸術品として観賞できるという効果を奏する。
【００３８】
さらに、鏡面仕上げによって、家族にとって大切な物であるという心を表すことができ、また神棚の場合の神鏡として捉えることができるという効果を奏する。
【図面の簡単な説明】
【００３９】
【図１】台座上に選択した全仏具を配設した場合（実施例１）の仏壇オブジェの正面概要図である。
【図２】実施例１の仏壇オブジェの平面概要図である。
【図３】実施例１の仏壇オブジェの右側面概要図である。
【図４】図２におけるＡ−Ａ断面概要図である。
【図５】図２におけるＢ−Ｂ断面概要図である。
【図６】図２において一輪花を挿した使用例の場合のＢ−Ｂ断面概要図である。
【図７】図２において集合花を挿した使用例の場合のＢ−Ｂ断面概要図である。
【図８】選択した仏具を台座上又は台座以外に配設した場合（実施例２）の仏壇オブジェの正面概要図である。
【図９】実施例２の仏壇オブジェの平面概要図である。
【図１０】実施例２の仏壇オブジェの右側面概要図である。
【図１１】選択した仏具を箱体に収容した場合（実施例３）の仏壇オブジェの正面概要図である。
【図１２】実施例３の仏壇オブジェの平面概要図である。
【図１３】実施例３の箱体内の仏壇オブジェのみの右側面概要図である。
【発明を実施するための形態】
【００４０】
図１乃至図８で説明する。本発明である仏壇オブジェ１は、底部及び周部が閉塞され、上部に開口部を有する、遺品や遺骨等を収容する収容室１１、及び／又は正面視左右方向に凹設された断面U字状の細溝部１２を含む台座２と、前記台座２の収容室１１の開口部に覆設される蓋体３、及び／又は前記細溝部１２に挿入され立設される、遺影などの薄板厚シート２０を２枚の透明な平板体で挟持する平板体部４と、線香挿入用の縦方向の孔を有する柱体５と、花挿し用の縦方向の孔を有する柱体（図なし）と、発光体を載設可能な周縁を有し配線挿通用及び電池内設用の縦方向の孔を有する柱体６と、の中から選択した少なくとも２つ以上の組み合わせからなる。
【００４１】
仏壇の構成要素である、遺品などの収容部、遺影などの写真立て、線香立て、花立、燭台などの仏具の中から選択して、前記選択した仏具同士の配置を考え、全体が装飾品という印象を与えるように、仏壇全体及び個々の仏具をデザインする。前記デザインすることによって、本発明の狙いである、狭い住居スペース事情に適応させるための仏壇の小型化とともに、居間などの生活空間である部屋の雰囲気に適応させ、部屋の雰囲気を明るくする装飾品である仏壇オブジェ１を実現できる。
【００４２】
そして、各仏具を、従来からの仏具という形態に捉われず新たにデザインした形態に変えることによって、仏壇としての使用に限らず神への礼拝をする祭壇としての使用もでき、特定の宗派に限定されないように変えることができる。
【００４３】
そして、仏壇オブジェ１の材質をアルミニウムとし、少なくとも台座２の開口部を覆設する蓋体３を鏡面仕上げする。アルミニウムという輝きを有する単一の材質を材料として使用することによって、仏壇オブジェ１全体を一つのアート作品として感じさせ、装飾品という印象を強く与え、また鏡面仕上げすることによって仏壇オブジェ１が家族にとって「大切なもの」であるという印象を生じさせる。なお、仏壇オブジェ１の材質は、アルミニウム以外でもよく、アルミニウム以外の非金属、鉄などの金属、または木材などの単一の材質でもよく、またはそれらの材質を組み合わせた材質でもよい。それぞれの材質が有する特徴を活かした仏壇オブジェ１にすることができる。
【００４４】
また、材質が非鉄金属や金属の場合には鏡面仕上げをすることができ、その鏡面仕上げ方法としては、研磨仕上げ、メッキ、ＰＶＤ、ＣＶＤのなかからいずれかでよい。ここで、本発明において、「ＰＶＤ」とは、気相法による薄膜形成技術であって、真空蒸着やスパッタリングなどの物理蒸着を意味し、「ＣＶＤ」とは、気相法による薄膜形成技術であって、熱ＣＶＤなどの化学蒸着を意味する。
【００４５】
鏡面仕上げを行うと、仏壇オブジェ１の表面の光沢が極めて向上し、神々しさが漂い、大切なものという心が伝わり、神棚の神鏡に重ねあわすことができ、装飾性が極めて高まる。
【００４６】
台座２は、上面が開口部となっている収容室１１及び正面視左右方向に凹設された断面U字状の細溝部１２を有しており、さらに線香立て用柱体５、花立て用柱体、又は燭台用柱体６の中から少なくとも１種以上の柱体を立設させるための穴部１３を有している。
【００４７】
また、台座２の形態には、上部が開口部となっている収容室１１のみを設けた形態、正面視左右方向に凹設された断面U字状の細溝部１２のみを設けた形態、さらに、前記収容室１１又は前記細溝部１２と、柱体を立設させる穴部１３とを有する形態などがあり、台座２の形態はこれらに限定されない。
【００４８】
上部が開口部となっている収容部１１には遺品や遺骨などを収容でき、前記断面U字状の細溝部１２には透明平板間に遺影などの写真を挟入させた透明平板を挿入させることができ、前記柱体を立設させる穴部１３によって線香立て用柱体５、花立て用柱体又は燭台用柱体６をデザインされた位置に正確に立設させることができる。ここで、遺骨等には、遺骨、遺髪、歯などを含み、遺品には亡き人や死んだペットの思い出の小物などを含む。
【００４９】
また、台座２の周面の形状を自由にデザインすることができ、例えば前面及び／又は側面を階段状にデザインすることにより、遺品又は遺骨を収容した収容室１１を拝むような感覚を持たせることができる。階段２３の形態例としては、手前から上方奥に向けて次第に上りになる階段状、かつ前記階段２３の幅を手前から上方奥に向けて次第に狭くするような形態があり、階段２３の形態はこれに限定されない。
【００５０】
また、図１１に示すように、台座２の収容室１１に電池４８（図なし）及び発光体４５（図なし）を内設することにより、前記台座２外周面に突設させたスイッチなどによって発光体４５を点灯させることができ、前記台座２の外周壁に収容室１１と外部が連通するように貫通穴１５などを設ければ、点灯された光の光線が周囲を照らすようにすることができる。これによって、周囲が暗いときには幻想的な雰囲気を漂わすことができる。
【００５１】
次に蓋体３は、下部蓋体３１と上部蓋体３０とからなり、下部蓋体３１は台座２の開口部を覆い、上部蓋体３０は前記下部蓋体３１の上側に載置する。
【００５２】
前記下部蓋体３１は、台座２の収容室１１に収容された遺骨や遺品を見えなくするための手段であり、前記収容室１１の平面視形状よりも少し広い大きさの平面視形状を有する平板であり、前記収容室１１の外周縁に埋め込んだピン３２を下部蓋体３１の外周近傍に設けた小孔に挿通させることによって固定化させる。
【００５３】
前記上部蓋体３０は、上部の形状が、錐体状、上面が平面状の柱体状、上面に凹部が形成されている柱体状、上面の中央部に孔が穿孔されている柱体状など、デザインにより自由な形状にすることができ、装飾性を高めることができる。図１１に示すように上面が平面状の場合には前記上面に釈迦像などの像１４を載せることもでき、また図１又は図６に示すように上面の中央部に孔が穿孔されている場合には線香立てや花立用として使用することもできる。
【００５４】
次に、遺影などを２枚の透明な平板体で挟持する平板体部４は、同一の大きさの２枚の透明な高分子材料の平板の間に、例えば遺影を挟入すれば静電気などにより２枚の平板が密着して前記写真の位置ずれを生じさせずに維持することができる。これにより、使用者の希望する高さや位置に長期間位置ずれを生じずに写真を掲げることができる。
【００５５】
線香立て用、花立用又は燭台用の柱体は、円柱形、又は平面視断面形状が多角形の柱体であり、上部と下部とに分離できる分離型、又は上部と下部とが分離できない一体型など自由にデザインした形状であればよい。そして、例えば、上部体４３と下部体４４とに分離できる柱体の場合は、前記上部体４３の下部の段付部の外周面を前記下部体４４の内周面に密着させて嵌挿させる構造となっており、前記上部体４３の形状は、錐体状、多面体状又は半球体状としたりして装飾性を高めることができる。
【００５６】
また、下部体４４は上端部で前記上部体４３を嵌挿させ、上部体の孔４６と連通させた孔４９を設けることもでき、図５又は図６に示すように、孔４９を設けた場合には孔４９に、電池４８を内設したり、水５３を貯水したりすることもできる。
【００５７】
そして、図５に示すように、燭台用の発光体４５を載設した柱体６は、下部体４４の孔４９に電池を内設しており、前記発光体４５を押下げることにより発光体４５を点灯又は消灯させるようにすることができる。
【００５８】
次に、箱体７は、台座２と、蓋体３と、遺影などを挟持する平板体部４と、線香立て用柱体５、花立用柱体、又は燭台用の柱体６の中から少なくとも２つ以上を選択してデザインした仏壇オブジェ１を収容する内容積を有し、前面、又は前面と側面に観音開きの扉２４を有する。そして、図１１に示すように、観音開きの扉２４及び／又は台座２の外周壁に、スリット及び／又は貫通穴１５を設けることにより、台座２内からの光線を箱体７外に放射させることができ、暗い部屋の雰囲気を幻想的に変えることができる。
【００５９】
また、箱体７の材質は、アルミニウムなどの非金属、鉄などの金属、木材、プラスチックなどのうちいずれでもよいが、特に材質をアルミニウムとし、箱体７の内面及び外面を鏡面仕上げすることによって、例えば台座２内からの光線を箱体７の内面で反射したりして外部に放射することによって極めて輝かしく神々しい雰囲気を漂わすことができる。
【００６０】
一般の仏壇の内壁に貼着された金箔により反射する光の輝きと、本発明のアルミニウムを材質とした仏壇オブジェ１の鏡面仕上げした面により反射する光の輝きを比較すると、鏡面仕上げした面の輝きが際立つという効果があり、高付加価値を有する装飾品としての位置づけができる。
【００６１】
次に、実施例を挙げて本発明を説明するが、本発明は実施例により限定されるものでない。
【実施例１】
【００６２】
図１乃至図５で説明する。実施例１の仏壇オブジェ１は、台座２、台座２の収容室１１を覆う蓋体３、遺影を挟持する２枚の平板体、燭台用柱体６の組み合わせからなる。
【００６３】
台座２は、平面視で瓢箪形状を有し、左側の円筒部の大きさが右側の円筒部の大きさよりも大きくデザインされている。そして、正面視で左側に、底部及び周部が閉塞され、上部に開口部を有する、遺品や遺骨等を収容する円柱形状の収容室１１を配設し、前記収容室１１の外観形状は略円筒形状を有し、一方、正面視で右側には、前記収容室１１の略円筒部よりは小径の円筒形状を有し、前記小径の円筒形状の中央部には柱体６を立設させる立設補助具５０を嵌挿させる穴部１３を設けている。そして、平面視で前後方向における、前記収容室１１と前記柱体６との間に、正面視左右方向に凹設された断面U字状の細溝部１２を設けている。
【００６４】
蓋体３は、円形状の薄板の下部蓋体３１と、外観形状が半球状で、下方の外周縁の大きさが下部蓋体３１の外周縁の大きさと同一で、上方の中央部が凹面状１６になって、前記凹面状１６の中央部に線香４２用の小孔を穿孔した上部蓋体３０とからなる。
【００６５】
収容室１１には、亡き家族の遺骨や遺品、亡きペットの遺骨や遺品などを収容することができ、上部蓋体３０には線香４２を立設することができる。
【００６６】
燭台として使用する発光体４５を載設した柱体６を、前記台座２の右側に位置する穴部１３に嵌挿させた立設補助具５０に嵌挿し立設する。これにより、正面視で２枚の透明平板からなる薄板厚シート２０を通して見ることによって燭台の光線を柔らかくやさしい感じにすることができる。
【００６７】
また、燭台用の発光体４５を載設した上部体４３を嵌設した柱体６の下部体４４は、上部体４３内の孔４６と連通させた孔４９を有している。下部体４４の孔４９には電池４８を内設し、発光体４５と電池４８とは、連通した孔４６及び孔４９内に垂下させた配線４７により繋がれている。
【００６８】
写真などを２枚の透明な平板体で挟持した平板体部４を、収容室１１や線香４２の後側に配設することにより、礼拝時に故人や亡きペットに向き合って話しかけながら礼拝することができる。
【００６９】
すべての材質をアルミニウムとし、かつ全面を鏡面仕上げすると、全体が輝き、装飾品としての価値が向上し、また、鏡面は神棚の神鏡とも捉えることができ、仏壇としての礼拝のみでなく、祭壇として神へ礼拝をすることができる。
【００７０】
次に、図１乃至図５においては、柱体６を燭台用として使用したが、発光体４５、配線４７及び電池４８などの設置をしなかった場合には、花立て用の柱体として使用することができる。
【００７１】
図６又は図７において説明する。図６は一輪花５１用の使用例である。柱体６の下部体４４に水５３を貯め、一輪花５１を上部体４３の孔４６の上端部から挿す。
【００７２】
図７は集合花５２用の使用例である。この場合には柱体６を設置せず、台座２に設けられた穴部１３に水５３を貯め、立設補助具５０に設けられた孔に集合花５２を挿す。以上の方法で柱体６を、燭台用、又は花立て用として兼用することができる。
【００７３】
以上、実施例１のデザインを有する仏壇オブジェ１からは、従来の仏壇から与えられた暗い印象が消え、部屋の装飾品という印象が強く与えられる。
【実施例２】
【００７４】
図８乃至図１０で説明する。実施例２の仏壇オブジェ１は、台座２、階段２３、台座２の収容室（図なし）を覆う蓋体３、遺影などの薄板厚シート２０を挟持する２枚の平板体からなる平板体部４、燭台用柱体６、線香立て用柱体５の組み合わせからなる。
【００７５】
台座２は、平面視で長方形状を有し、正面視で中央部に、底部及び周部が閉塞され、上部に開口部を有する、遺品や遺骨等を収容する円柱形状の収容室を配設し、前記収容室の外観形状は略円筒形状を有し、一方、正面視で右側には、柱体６を立設させる孔を設けている。そして、前記収容室と前記柱体６立設用の孔との後方に、正面視左右方向に凹設された断面U字状の細溝部１２を設けている。
【００７６】
前記台座２の前側には、手前から上方奥に向けて次第に上りになる階段状、かつ前記階段２３の幅を手前から上方奥に向けて次第に狭くするような形態の階段２３を設けている。
【００７７】
蓋体３は、円形状の薄板の下部蓋体（図なし）と、外観形状が略半球状で、下方の外周縁の大きさが下部蓋体の外周縁の大きさと同一の大きさの上部蓋体３０とからなる。
【００７８】
燭台用の発光体４５を載設した柱体６を、前記台座２の右側に穿孔された孔に嵌挿し立設する。
【００７９】
ここで、燭台用の発光体４５を載設した柱体６の構造は、実施例１の場合の柱体６と同じ構造である。
【００８０】
線香用柱体５は、前記階段２３の前に離間させて設置する。前記線香用柱体５の長さは短く、形状は略盃の形状である。そして、前記略盃の形状の柱体５は、上部に線香挿入用の孔を設け、下部に前記孔に連通させて水を貯める空洞部を設けた一体の柱体である。下部に水を貯める構造にすることによって燃えて落下する線香４２を速やかに消火することができる。柱体５は高さが短いので上部と下部とに分離しない方が容易に水の排給水ができる。
【００８１】
そして、遺影を２枚の透明な平板体で挟持させて、前記挟持させた平板体からなる平板体部４を、前記収容室と柱体６嵌挿用の孔との後方に設けられた細溝部１２に挿入し立設する。
【００８２】
すべての材質をアルミニウムとし、かつ全面を鏡面仕上げする。
【００８３】
以上、実施例２のデザインを有する仏壇オブジェ１からは、階段２３を設け礼拝対象を上方にあげたこと、デザインをシンプル化させたこと、及び横長の開放的な仏壇オブジェ１としたことによって、従来の仏壇から与えられた暗い印象が消え、厳粛さと装飾さとを醸し出した印象が強く与えられる。
【実施例３】
【００８４】
図１１乃至図１３で説明する。実施例３の仏壇オブジェ１は、台座２、台座２の収容室（図示なし）を覆う蓋体３、像１４、箱体７の組み合わせからなる。
【００８５】
台座２は、六角形状の階段を数段重ねた外観形状を有しており、かつ底部が閉塞され、周壁部には外部と連通する貫通穴１５が設けられ、上部に開口部を有する、電池及び発光体などを内設する略六角柱形状の収容室を配設している。なお、前記収容室に遺骨や遺品を収容する場合には、収容室の周壁に外部と連通する貫通穴１５は設けない。
【００８６】
蓋体３は、六角形状の薄板の下部蓋体（図示なし）と、外観形状が略六角柱形状で、下方の外周縁の大きさが下部蓋体の外周縁の大きさと同一で、上方の中央部が平面状になっている上部蓋体３０とからなる。そして、前記蓋体３の上には仏像やエンジェル像などの像１４を載置させる。
【００８７】
箱体７は、六角柱形状をしており、台座２、蓋体３及び像１４を組み合わせてデザインした仏壇オブジェ１を収容する内容積を有し、前面と左右の側面に観音開きの扉２４を有する。そして、観音開きの扉２４にスリットを設けている。このスリットなどにより、扉２４を閉じた状態であっても、台座２内からの光線を箱体７外に放射させることができ、暗い部屋の雰囲気を幻想的に変えることができる。
【００８８】
すべての材質をアルミニウムとし、かつ全面を鏡面仕上げする。
【００８９】
以上、実施例３のデザインを有する仏壇オブジェ１からは、台座２から放射された光線が箱体７内を乱反射するので、箱体７内が幻想的に神々しく輝く仏壇オブジェ１としたことによって、従来の仏壇から与えられた暗い印象が消え、シンプルなデザインながらも神々しさが伝わってくる。
【符号の説明】
【００９０】
１      仏壇オブジェ
２      台座
３      蓋体
４      平板体部
５      柱体
６      柱体
７      箱体
１１    収容室
１２    細溝部
１３    穴部
１４    像
１５    貫通穴
１６    凹面状
２０    薄板厚シート
２３    階段
２４    扉
３０    上部蓋体
３１    下部蓋体
３２    ピン
４２    線香
４３    上部体
４４    下部体
４５    発光体
４６    孔
４７    配線
４８    電池
４９    孔
５０    立設補助具
５１    一輪花
５２    集合花
５３    水
【図１】
2012010826.tif 000003
【図２】
2012010826.tif 000004
【図３】
2012010826.tif 000005
【図４】
2012010826.tif 000006
【図５】
2012010826.tif 000007
【図６】
2012010826.tif 000008
【図７】
2012010826.tif 000009
【図８】
2012010826.tif 000010
【図９】
2012010826.tif 000011
【図１０】
2012010826.tif 000012
【図１１】
2012010826.tif 000013
【図１２】
2012010826.tif 000014
【図１３】
2012010826.tif 000015